(57)【要約】【課題】ユーザに供されるタイヤが正規品であるか、模倣品であるかを提示する。【解決手段】本発明に係る情報提示システムは、情報提示装置と、タイヤに取り付けられ、該タイヤを識別するタイヤＩＤ情報を発信する発信器と、正規品のタイヤのタイヤＩＤ情報を記憶するデータベースとを備え、情報提示装置は、タイヤに取り付けられた発信器と近距離無線通信を行い、該発信器が発信するタイヤＩＤ情報を取得するリーダ部と、データベースにリーダ部が取得したタイヤＩＤ情報が記憶されているか否かを判定し、データベースにタイヤＩＤ情報が記憶されている場合に、タイヤＩＤ情報で識別されるタイヤが正規品であることを示す情報を情報提示部に提示させ、および／または、データベースにタイヤＩＤ情報が記憶されていない場合には、タイヤＩＤ情報で識別されるタイヤが模倣品であることを示す情報を情報提示部に提示させる制御部とを備える。【選択図】図１
2019101937.tif 000002
【特許請求の範囲】
【請求項１】
ユーザに供されるタイヤが正規品であるか、模倣品であるかを示す情報を提示する情報提示システムであって、
前記ユーザに所持され、前記ユーザに情報を提示する情報提示装置と、
前記ユーザに供されるタイヤに取り付けられ、該タイヤを識別するタイヤＩＤ情報を発信する発信器と、
正規品のタイヤのタイヤＩＤ情報を記憶する第１のデータベースとを備え、
前記情報提示装置は、
前記ユーザに情報を提示する情報提示部と、
前記タイヤに取り付けられた発信器と近距離無線通信を行い、該発信器が発信するタイヤＩＤ情報を取得するリーダ部と、
前記第１のデータベースに前記リーダ部が取得したタイヤＩＤ情報が記憶されているか否かを判定し、前記第１のデータベースに前記タイヤＩＤ情報が記憶されている場合、前記タイヤＩＤ情報で識別されるタイヤが正規品であると判定し、該タイヤが正規品であることを示す情報を前記情報提示部に提示させ、および／または、前記第１のデータベースに前記タイヤＩＤ情報が記憶されていない場合には、前記タイヤＩＤ情報で識別されるタイヤが模倣品であると判定し、該タイヤが模倣品であることを示す情報を前記情報提示部に提示させる制御部とを備えることを特徴とする情報提示システム。
【請求項２】
請求項１に記載の情報提示システムにおいて、
前記制御部は、前記リーダ部が取得したタイヤＩＤ情報で識別されるタイヤが模倣品であると判定した場合、前記情報提示装置の位置情報を取得し、該取得した位置情報に基づき、前記情報提示装置の付近の正規品のタイヤを販売する販売店を特定し、該特定した販売店に関する情報をさらに、前記情報提示部に提示させる、情報提示システム。
【請求項３】
請求項２に記載の情報提示システムにおいて、
前記ユーザを識別するユーザＩＤ情報と、前記ユーザが所有する車両を識別する車両ＩＤ情報とを対応付けて記憶する第２のデータベースをさらに備え、
前記情報提示装置は、前記ユーザのユーザＩＤ情報を記憶する記憶部をさらに備え、
前記制御部は、前記リーダ部が取得したタイヤＩＤ情報で識別されるタイヤが模倣品であると判定した場合、前記記憶部に記憶されているユーザＩＤ情報に対応付けて前記第２のデータベースに記憶されている車両ＩＤ情報を特定し、該特定した車両ＩＤ情報で識別される車両に装着されるタイヤのタイヤサイズを特定し、該特定したタイヤサイズのタイヤの前記特定した販売店における在庫状況を示す情報をさらに、前記情報提示部に提示させる、情報提示システム。
【請求項４】
請求項２または３に記載の情報提示システムにおいて、
前記情報提示装置は、カメラ部をさらに備えており、
前記制御部は、前記リーダ部が取得したタイヤＩＤ情報で識別されるタイヤが模倣品であると判定した場合、前記カメラ部による前記模倣品であると判定したタイヤのトレッドパターンの撮影画像を取得し、該取得した撮影画像に示されるトレッドパターンと同一または類似のトレッドパターンを有する正規品のタイヤを特定し、該特定したタイヤに関する情報をさらに、前記情報提示部に提示させる、情報提示システム。
【請求項５】
請求項４に記載の情報提示システムにおいて、
前記制御部は、前記特定した正規品のタイヤの、前記特定した販売店における在庫状況を示す情報をさらに、前記情報提示部に提示させる、情報提示システム。
【請求項６】
請求項１から５のいずれか一項に記載の情報提示システムにおいて、
前記制御部は、前記リーダ部が取得したタイヤＩＤ情報で識別されるタイヤが模倣品であると判定した場合、前記情報提示装置の位置情報を取得し、該取得した位置情報を所定の連絡先に通知する、情報提示システム。
【請求項７】
請求項１から６のいずれか一項に記載の情報提示システムにおいて、
前記制御部は、前記リーダ部が取得したタイヤＩＤ情報で識別されるタイヤが模倣品であると判定した場合、前記情報提示装置の位置情報を取得し、該取得した位置情報に基づき、前記模倣品であると判定したタイヤの販売店を特定し、該特定した販売店に関する情報を、所定の連絡先に通知する、情報提示システム。
【請求項８】
ユーザに供されるタイヤが正規品であるか、模倣品であるかを示す情報を、前記ユーザに提示する情報提示装置であって、
前記ユーザに情報を提示する情報提示部と、
前記ユーザに供されるタイヤに取り付けられて該タイヤを識別するタイヤＩＤ情報を発信する発信器と、近距離無線通信を行い、該発信器が発信するタイヤＩＤ情報を取得するリーダ部と、
正規品のタイヤのタイヤＩＤ情報を記憶するデータベースに、前記リーダ部が取得したタイヤＩＤ情報が記憶されているか否かを判定し、前記タイヤＩＤ情報が前記データベースに記憶されている場合には、前記タイヤＩＤ情報で識別されるタイヤが正規品であることを示す情報を、前記タイヤＩＤ情報が前記データベースに記憶されていない場合には、前記タイヤＩＤ情報で識別されるタイヤが模倣品であることを示す情報を、前記情報提示部に提示させる制御部とを備えることを特徴とする情報提示装置。
【請求項９】
ユーザに供されるタイヤが正規品であるか、模倣品であるかを示す情報を、前記ユーザに提示する情報提示方法であって、
前記ユーザに供されるタイヤに取り付けられて該タイヤを識別するタイヤＩＤ情報を発信する発信器と、近距離無線通信を行い、該発信器が発信するタイヤＩＤ情報を取得するステップと、
正規品のタイヤのタイヤＩＤ情報を記憶するデータベースに、前記取得したタイヤＩＤ情報が記憶されているか否かを判定し、前記タイヤＩＤ情報が前記データベースに記憶されている場合には、前記タイヤＩＤ情報で識別されるタイヤが正規品であることを示す情報を、前記タイヤＩＤ情報が前記データベースに記憶されていない場合には、前記タイヤＩＤ情報で識別されるタイヤが模倣品であることを示す情報を前記ユーザに提示するステップと、を含むことを特徴とする情報提示方法。
【発明の詳細な説明】
【技術分野】
【０００１】
本発明は、情報提示システム、情報提示装置および情報提示方法に関する。
【背景技術】
【０００２】
車両に装着されるタイヤの中には、近距離無線通信を行うＲＦＩＤ（Radio-Frequency Identification）タグが取り付けられたものがある（例えば、特許文献１参照）。
【先行技術文献】
【特許文献】
【０００３】
【特許文献１】特開２０１７−１３２２９２号公報
【発明の概要】
【発明が解決しようとする課題】
【０００４】
ところで、近年、正規メーカにより製造されたタイヤ（正規品）を模倣し、正規メーカ以外のメーカにより製造されたタイヤ（模倣品）の流通が問題となっている。そのため、例えば、タイヤを販売する販売店などにおいて、ユーザが模倣品を正規品と誤認して購入しないように、ユーザに供されるタイヤが正規品であるか、模倣品であるかを示す情報を提示する技術が求められている。
【０００５】
上記のような問題点に鑑みてなされた本発明の目的は、ユーザに供されるタイヤが正規品であるか、模倣品であるかを示す情報を提示することができる、情報提示システム、情報提示装置および情報提示方法を提供することにある。
【課題を解決するための手段】
【０００６】
本発明の一態様としての情報提示システムは、ユーザに供されるタイヤが正規品であるか、模倣品であるかを示す情報を提示する情報提示システムであって、前記ユーザに所持され、前記ユーザに情報を提示する情報提示装置と、前記ユーザに供されるタイヤに取り付けられ、該タイヤを識別するタイヤＩＤ情報を発信する発信器と、正規品のタイヤのタイヤＩＤ情報を記憶する第１のデータベースとを備える。前記情報提示装置は、前記ユーザに情報を提示する情報提示部と、前記タイヤに取り付けられた発信器と近距離無線通信を行い、該発信器が発信するタイヤＩＤ情報を取得するリーダ部と、前記第１のデータベースに前記リーダ部が取得したタイヤＩＤ情報が記憶されているか否かを判定し、前記第１のデータベースに前記タイヤＩＤ情報が記憶されている場合、前記タイヤＩＤ情報で識別されるタイヤが正規品であると判定し、該タイヤが正規品であることを示す情報を前記情報提示部に提示させ、および／または、前記第１のデータベースに前記タイヤＩＤ情報が記憶されていない場合には、前記タイヤＩＤ情報で識別されるタイヤが模倣品であると判定し、該タイヤが模倣品であることを示す情報を前記情報提示部に提示させる制御部とを備える。
上記構成を備えることにより、ユーザに供されるタイヤが正規品であるか、模倣品であるかを示す情報をユーザに提示することができる。
【０００７】
本発明に係る情報提示システムにおいて、前記制御部は、前記リーダ部が取得したタイヤＩＤ情報で識別されるタイヤが模倣品であると判定した場合、前記情報提示装置の位置情報を取得し、該取得した位置情報に基づき、前記情報提示装置の付近の正規品のタイヤを販売する販売店を特定し、該特定した販売店に関する情報をさらに、前記情報提示部に提示させることが好ましい。
上記構成を備えることにより、正規品のタイヤをどこで取得できるかをユーザが容易に把握することができる。
【０００８】
本発明に係る情報提示システムにおいて、前記ユーザを識別するユーザＩＤ情報と、前記ユーザが所有する車両を識別する車両ＩＤ情報とを対応付けて記憶する第２のデータベースをさらに備え、前記情報提示装置は、前記ユーザのユーザＩＤ情報を記憶する記憶部をさらに備え、前記制御部は、前記リーダ部が取得したタイヤＩＤ情報で識別されるタイヤが模倣品であると判定した場合、前記記憶部に記憶されているユーザＩＤ情報に対応付けて前記第２のデータベースに記憶されている車両ＩＤ情報を特定し、該特定した車両ＩＤ情報で識別される車両に装着されるタイヤのタイヤサイズを特定し、該特定したタイヤサイズのタイヤの前記特定した販売店における在庫状況を示す情報をさらに、前記情報提示部に提示させることが好ましい。
上記構成を有することにより、ユーザは、所有する車両に装着できる正規品のタイヤの在庫状況を確認した上で、販売店を訪れることができる。
【０００９】
本発明に係る情報提示システムにおいて、前記情報提示装置は、カメラ部をさらに備え、前記制御部は、前記リーダ部が取得したタイヤＩＤ情報で識別されるタイヤが模倣品であると判定した場合、前記カメラ部による前記模倣品であると判定したタイヤのトレッドパターンの撮影画像を取得し、該取得した撮影画像に示されるトレッドパターンと同一または類似のトレッドパターンを有する正規品のタイヤを特定し、該特定したタイヤに関する情報をさらに、前記情報提示部に提示させることが好ましい。
上記構成を有することにより、模倣品であると判定されたタイヤと同程度の性能などを有する正規品のタイヤをユーザが容易に把握することができる。
【００１０】
本発明に係る情報提示システムにおいて、前記制御部は、前記特定した正規品のタイヤの、前記販売店における在庫状況を示す情報をさらに、前記情報提示部に提示させることが好ましい。
上記構成を有することにより、ユーザは、模倣品であると判定されたタイヤと同程度の性能を有する正規品のタイヤの在庫状況を確認した上で、販売店を訪れることができる。
【００１１】
本発明に係る情報提示システムにおいて、前記制御部は、前記リーダ部が取得したタイヤＩＤ情報で識別されるタイヤが模倣品であると判定した場合、前記情報提示装置の位置情報を取得し、該取得した位置情報を所定の連絡先に通知することが好ましい。
上記構成を有することにより、所定の連絡先に模倣品のタイヤの位置を通知することができる。
【００１２】
本発明の一実施形態として、前記制御部は、前記リーダ部が取得したタイヤＩＤ情報で識別されるタイヤが模倣品であると判定した場合、前記情報提示装置の位置情報を取得し、該取得した位置情報に基づき、前記模倣品であると判定したタイヤの販売店を特定し、該特定した販売店に関する情報を、所定の連絡先に通知する。
上記構成を有することにより、所定の連絡先に模倣品のタイヤを販売する販売店に関する情報を通知することができる。
【００１３】
本発明の一態様としての情報提示装置は、ユーザに供されるタイヤが正規品であるか、模倣品であるかを示す情報を、前記ユーザに提示する情報提示装置であって、前記ユーザに情報を提示する情報提示部と、前記ユーザに供されるタイヤに取り付けられて該タイヤを識別するタイヤＩＤ情報を発信する発信器と、近距離無線通信を行い、該発信器が発信するタイヤＩＤ情報を取得するリーダ部と、正規品のタイヤのタイヤＩＤ情報を記憶するデータベースに、前記リーダ部が取得したタイヤＩＤ情報が記憶されているか否かを判定し、前記タイヤＩＤ情報が前記データベースに記憶されている場合には、前記タイヤＩＤ情報で識別されるタイヤが正規品であることを示す情報を、前記タイヤＩＤ情報が前記データベースに記憶されていない場合には、前記タイヤＩＤ情報で識別されるタイヤが模倣品であることを示す情報を、前記情報提示部に提示させる制御部とを備える。
上記構成を備えることにより、ユーザに供されるタイヤが正規品であるか、模倣品であるかを示す情報をユーザに提示することができる。
【００１４】
本発明の一態様としての情報提示方法は、ユーザに供されるタイヤが正規品であるか、模倣品であるかを示す情報を、前記ユーザに提示する情報提示方法であって、前記ユーザに供されるタイヤに取り付けられて該タイヤを識別するタイヤＩＤ情報を発信する発信器と、近距離無線通信を行い、該発信器が発信するタイヤＩＤ情報を取得するステップと、正規品のタイヤのタイヤＩＤ情報を記憶するデータベースに、前記取得したタイヤＩＤ情報が記憶されているか否かを判定し、前記タイヤＩＤ情報が前記データベースに記憶されている場合には、前記タイヤＩＤ情報で識別されるタイヤが正規品であることを示す情報を、前記タイヤＩＤ情報が前記データベースに記憶されていない場合には、前記タイヤＩＤ情報で識別されるタイヤが模倣品であることを示す情報を前記ユーザに提示するステップと、を含む。
上記構成を備えることにより、ユーザに供されるタイヤが正規品であるか、模倣品であるかを示す情報をユーザに提示することができる。
【発明の効果】
【００１５】
本発明によれば、ユーザに供されるタイヤが正規品であるか、模倣品であるかを示す情報を提示することができる、情報提示システム、情報提示装置および情報提示方法を提供することができる。
【図面の簡単な説明】
【００１６】
【図１】本発明の一実施形態に係る情報提示システムの構成例を示す図である。
【図２】図１に示す情報提示装置の構成例を示す図である。
【図３】図１に示す情報提示装置の動作の一例を示すフローチャートである。
【図４】図１に示す情報提示装置の動作の別の一例を示すフローチャートである。
【図５】図１に示す情報提示装置の動作のさらに別の一例を示すフローチャートである。
【図６】図１に示す情報提示装置の動作のさらに別の一例を示すフローチャートである。
【図７】図１に示す情報提示装置の動作のさらに別の一例を示すフローチャートである。
【図８】図１に示す情報提示装置の動作のさらに別の一例を示すフローチャートである。
【発明を実施するための形態】
【００１７】
以下、本発明の実施の形態について図面を参照して例示説明する。なお、各図中、同一符号は、同一または同等の構成要素を示している。
【００１８】
図１は、本発明の一実施形態に係る情報提示システム１０の構成例を示す図である。本実施形態に係る情報提示システム１０は、タイヤ１の販売店などにおいて、ユーザに供されるタイヤ１が、正規メーカにより製造されたタイヤ（正規品）であるか、正規品を模倣して、正規メーカ以外のメーカにより製造されたタイヤ（模倣品）であるかを示す情報をユーザに提示するものである。
【００１９】
図１に示す情報提示システム１０は、発信器１１と、データベース１２，１３と、情報提示装置１４とを備える。データベース１２，１３と、情報提示装置１４とはネットワーク２０を介して通信可能である。
【００２０】
発信器１１は、タイヤの販売店に陳列されるなどしてユーザに供されるタイヤ１に取り付けられている。発信器１１は、例えば、タイヤ１に内蔵されている（タイヤ１内に埋め込まれている、あるいは、タイヤ１の内表面に貼付されている）。また、発信器１１は、タイヤ１から取り外しが困難であり、タイヤ１と路面との接触による影響を受けない位置であれば、タイヤ１の表面に貼り付けられてもよい。発信器１１は、所定の信号、例えば、発信器１１が取り付けられたタイヤ１を識別する識別情報（以下、タイヤＩＤ情報と称する）を発信する。発信器１１の具体例としては、ＲＦＩＤタグがある。ＲＦＩＤタグは、リーダ装置との間で、電磁界、電波などを用いて近距離（数ｃｍ〜数ｍ程度）無線通信を行い、情報のやり取りを行うものである。なお、上述したように、近年、タイヤにＲＦＩＤタグを取り付けることが検討されている。以下では、少なくとも正規品のタイヤには、ＲＦＩＤタグなどの発信器１１が取り付けられているものとする。
【００２１】
データベース１２（第１のデータベース）は、正規メーカにより製造された正規品のタイヤのタイヤＩＤ情報を記憶する。データベース１２は、例えば、正規メーカにより管理され、正規メーカにおけるタイヤ１の製造、出荷時などに、そのタイヤ１のタイヤＩＤ情報が記憶される。
【００２２】
データベース１３（第２のデータベース）は、情報提示装置１４を使用するユーザを識別する識別情報（以下、ユーザＩＤ情報と称する）と、そのユーザが所有する車両（車種）を識別する識別情報（以下、車両ＩＤ情報と称する）とを対応付けて記憶する。データベース１３には、例えば、ユーザによる車両の購入時などに、ユーザのユーザＩＤ情報と、そのユーザが購入した車両の車両ＩＤ情報とが記憶される。
【００２３】
情報提示装置１４は、例えは、タイヤの販売店などにおいて、陳列されているタイヤ１の購入を検討するユーザなどにより使用される。情報提示装置１４は、例えば、ユーザが所有する携帯電話、スマートフォン、タブレット端末などの通信端末である。これらの通信端末に、例えば、所定のプログラム（アプリケーション）をダウンロードすることで、本実施形態に係る情報提示装置１４として動作させることができる。情報提示装置１４は、タイヤの販売店などに設置される専用装置であってもよい。
【００２４】
情報提示装置１４は、ユーザに供されるタイヤ１に取り付けられた発信器１１と近距離無線通信を行い、発信器１１が発信するタイヤＩＤ情報を取得する。情報提示装置１４は、データベース１２に、取得したタイヤＩＤ情報が記憶されている場合には、そのタイヤＩＤ情報で識別されるタイヤ１が正規品であると判定する。そして、情報提示装置１４は、タイヤＩＤ情報で識別されるタイヤ１が正規品であることを示す情報をユーザに提示する。また、情報提示装置１４は、データベース１２に、取得したタイヤＩＤ情報が記憶されていない場合には、そのタイヤＩＤ情報で識別されるタイヤ１が模倣品であると判定する。そして、情報提示装置１４は、タイヤＩＤ情報で識別されるタイヤ１が模倣品であることを示す情報をユーザに提示する。なお、情報提示装置１４は、タイヤＩＤ情報で識別されるタイヤ１が正規品であることを示す情報およびタイヤＩＤ情報で識別されるタイヤ１が模倣品であることを示す情報の少なくとも一方を、ユーザに提示するようにしてもよい。情報提示装置１４は、タイヤ１からタイヤＩＤ情報を取得できない場合にも、そのタイヤ１が模倣品であることを示す情報をユーザに提示する。
【００２５】
上述したように、データベース１２には、正規品のタイヤのタイヤＩＤ情報が記憶されている。したがって、タイヤ１のタイヤＩＤ情報がデータベース１２に記憶されている場合には、そのタイヤ１は正規品であると判定することができる。また、タイヤ１のタイヤＩＤ情報がデータベース１２に記憶されていない場合には、そのタイヤ１は模倣品であると判定することができる。また、上述したように、正規品のタイヤには、発信器１１が取り付けられている。したがって、タイヤ１に発信器１１が取り付けられておらず、タイヤＩＤ情報を取得できない場合、そのタイヤ１は模倣品であると判定することができる。
【００２６】
次に、本実施形態に係る情報提示装置１４の構成について説明する。
【００２７】
図２は、本実施形態に係る情報提示装置１４の構成例を示す図である。
【００２８】
図２に示す情報提示装置１４は、リーダ部１４１と、記憶部１４２と、カメラ部１４３と、位置情報取得部１４４と、通信部１４５と、表示部１４６と、制御部１４７とを備える。
【００２９】
リーダ部１４１は、制御部１４７の制御に従い、タイヤ１に取り付けられた発信器１１と、近距離（数ｃｍ〜数ｍ程度）無線通信を行い、発信器１１が発信するタイヤＩＤ情報を取得する。リーダ部１４１は、取得したタイヤＩＤ情報を制御部１４７に出力する。
【００３０】
記憶部１４２は、種々のプログラム、情報などを記憶する。例えば、記憶部１４２は、情報提示装置１４が備える種々の機能を実現するためのプログラムを記憶する。また、記憶部１４２は、情報提示装置１４のユーザのユーザＩＤ情報を記憶する。
【００３１】
カメラ部１４３は、制御部１４７の制御に従い撮影を行い、撮影画像を制御部１４７に出力する。
【００３２】
位置情報取得部１４４は、制御部１４７の制御に従い、情報提示装置１４の位置情報を取得する。位置情報取得部１４４は、例えば、ＧＰＳ（Global Positioning System）信号に基づき、位置情報を取得する。位置情報取得部１４４は、取得した位置情報を制御部１４７に出力する。
【００３３】
通信部１４５は、制御部１４７の制御に従い、ネットワーク２０を介して、データベース１２，１３などと通信を行う。
【００３４】
表示部１４６は、制御部１４７の制御に従い、種々の情報を表示する。表示部１４６は、ユーザに情報を提示する情報提示部の一例である。情報提示装置１４が音声を出力する音声出力部を備えている場合には、音声出力部を情報提示部として用いてもよい。
【００３５】
制御部１４７は、情報提示装置１４全体の動作を制御する。制御部１４７は、例えば、タイヤ１のタイヤＩＤ情報を読み取るための操作が行われると、リーダ部１４１に発信器１１との近距離無線通信を行わせる。そして、制御部１４７は、リーダ部１４１がタイヤ１の発信器１１からタイヤＩＤ情報を取得すると、通信部１４５を介して、データベース１２を参照し、データベース１２にリーダ部１４１が取得したタイヤＩＤ情報が記憶されているか否かを判定する。制御部１４７は、データベース１２に、リーダ部１４１が取得したタイヤＩＤ情報が記憶されている場合には、そのタイヤＩＤ情報で識別されるタイヤ１が正規品であると判定し、そのタイヤ１が正規品であることを示す情報を表示部１４６に表示させる。また、制御部１４７は、データベース１２に、リーダ部１４１が取得したタイヤＩＤ情報が記憶されていない場合には、そのタイヤＩＤ情報で識別されるタイヤ１が模倣品であると判定し、そのタイヤ１が模倣品であることを示す情報を表示部１４６に表示させる。なお、制御部１４７は、タイヤＩＤ情報で識別されるタイヤ１が正規品であることを示す情報およびタイヤＩＤ情報で識別されるタイヤ１が模倣品であることを示す情報の少なくとも一方を、ユーザに提示するようにしてもよい。
【００３６】
次に、本実施形態に係る情報提示装置１４の動作について説明する。
【００３７】
図３は、情報提示装置１４の動作の一例を示すフローチャートである。
【００３８】
制御部１４７は、例えば、タイヤ１のタイヤＩＤ情報を読み取るための操作が行われると、リーダ部１４１に発信器１１との近距離無線通信を行わせ、リーダ部１４１を介して、タイヤ１のタイヤＩＤ情報を取得する（ステップＳ１１）。
【００３９】
次に、制御部１４７は、通信部１４５を介してデータベース１２を参照し、データベース１２に取得したタイヤＩＤ情報が記憶されているか否かを判定する（ステップＳ１２）。
【００４０】
データベース１２に取得したタイヤＩＤ情報が記憶されていると判定した場合には（ステップＳ１２：Ｙｅｓ）、制御部１４７は、そのタイヤＩＤ情報で識別されるタイヤ１は正規品であると判定する（ステップＳ１３）。そして、制御部１４７は、取得したタイヤＩＤ情報で識別されるタイヤ１が正規品であることを示す情報を表示部１４６に表示させる（ステップＳ１４）。
【００４１】
データベース１２に取得したタイヤＩＤ情報が記憶されていないと判定した場合には（ステップＳ１２：Ｎｏ）、制御部１４７は、そのタイヤＩＤ情報で識別されるタイヤ１は模倣品であると判定する（ステップＳ１５）。そして、制御部１４７は、取得したタイヤＩＤ情報で識別されるタイヤ１が模倣品であることを示す情報を表示部１４６に表示させる（ステップＳ１６）。
【００４２】
このように、正規品のタイヤのタイヤＩＤ情報を記憶するデータベース１２に、タイヤ１から取得したタイヤＩＤ情報が記憶されているか否かを判定することで、そのタイヤ１が正規品であるか、模倣品であるかを判定し、判定結果を示す情報をユーザに提示することができる。また、例えば、ＲＦＩＤでは、発信器とリーダ装置とを近づけるだけで、情報のやり取りを行うことができる。そのため、発信器１１としてＲＦＩＤタグを用いた場合には、タイヤ１と情報提示装置１４のリーダ部１４１とを近づけるという簡易な動作だけで、そのタイヤ１が正規品であるか、模倣品であるかを示す情報をユーザに提示することができる。
【００４３】
情報提示装置１４は、取得したタイヤＩＤ情報で識別されるタイヤ１が模倣品であると判定した場合、その判定結果を示す情報とともに、種々の情報をユーザに提示してもよい。例えば、情報提示装置１４は、タイヤ１が模倣品であることを示す情報とともに、正規品のタイヤを販売する販売店に関する情報をユーザに提示してもよい。以下では、図４を参照して、正規品のタイヤを販売する販売店に関する情報を提示する場合の動作について説明する。なお、図４において、図３と同様の処理については同じ符号を付し、説明を省略する。
【００４４】
制御部１４７は、取得したタイヤＩＤ情報で識別されるタイヤ１が模倣品であると判定すると（ステップＳ１５）、位置情報取得部１４４に位置情報の取得を指示する。そして、制御部１４７は、その指示に従い位置情報取得部１４４が取得した位置情報を取得する（ステップＳ２１）。
【００４５】
次に、制御部１４７は、取得した位置情報に基づき、情報提示装置１４の付近の、正規品のタイヤを販売する販売店（例えば、正規メーカの直営店）を特定する（ステップＳ２２）。
【００４６】
そして、制御部１４７は、取得したタイヤＩＤ情報で識別されるタイヤ１が模倣品であることを示す情報、および、正規品を販売するとして特定した販売店に関する情報（位置情報、連絡先情報など）を、表示部１４６に表示させる（ステップＳ２３）。なお、正規品のタイヤを販売する販売店に関する情報は、データベース１２，１３あるいはネットワーク２０に接続された他のデータベースに予め記憶されている。制御部１４７は、正規品のタイヤを販売する販売店に関する情報を記憶するデータベースを参照して、情報提示装置１４の付近の販売店を特定し、その販売店に関する情報をユーザに提示することができる。
【００４７】
このように、取得したタイヤＩＤ情報で識別されるタイヤ１が模倣品であると判定した場合、正規品のタイヤを販売する付近の販売店に関する情報を提示することで、正規品のタイヤをどこで取得できるかをユーザが容易に把握することができる。
【００４８】
また、情報提示装置１４は、情報提示装置１４の付近の、正規品のタイヤを販売する販売店に関する情報に加えて、その販売店におけるタイヤの在庫状況に関する情報をユーザに提示してもよい。以下では、図５を参照して、正規品のタイヤを販売する販売店おける在庫状況を示す情報を提示する場合の動作について説明する。なお、図５において、図３，４と同様の処理については同じ符号を付し、説明を省略する。
【００４９】
情報提示装置１４の付近の、正規品のタイヤを販売する販売店を特定すると（ステップＳ２２）、制御部１４７は、記憶部１４２に記憶されているユーザＩＤ情報を取得する（ステップＳ３１）。そして、制御部１４７は、通信部１４５を介してデータベース１３を参照し、取得したユーザＩＤ情報に対応付けて記憶されている車両ＩＤ情報を取得する（ステップＳ３２）。
【００５０】
次に、制御部１４７は、取得した車両ＩＤ情報で識別される車両に装着されるタイヤのタイヤサイズを特定する（ステップＳ３３）。次に、制御部１４７は、特定したタイヤサイズのタイヤの、情報提示装置１４の付近の、正規品のタイヤを販売する販売店における在庫状況を示す情報を取得する（ステップＳ３４）。なお、販売店における在庫状況を示す情報は、例えば、販売店に関する情報を記憶するデータベースに、各販売店が定期的に登録すればよい。
【００５１】
そして、制御部１４７は、取得したタイヤＩＤ情報で識別されるタイヤ１が模倣品であることを示す情報、情報提示装置１４の付近の、正規品のタイヤを販売する販売店に関する情報、および、特定したタイヤサイズのタイヤの販売店における在庫状況を示す情報を、表示部１４６に表示させる（ステップＳ３５）。
【００５２】
このように、ユーザＩＤ情報で識別されるユーザの車両に装着されるタイヤのタイヤサイズを特定し、そのタイヤサイズのタイヤの、情報提示装置１４の付近の正規品を販売する販売店における在庫状況を示す情報を提示することで、ユーザは、所有する車両に装着できる正規品のタイヤの在庫状況を確認した上で、販売店を訪れることができる。
【００５３】
また、情報提示装置１４は、タイヤＩＤ情報を取得したタイヤ１が模倣品であると判定した場合、その判定結果を示す情報とともに、そのタイヤ１と同一または類似のトレッドパターンを有する正規品のタイヤに関する情報をユーザに提示してもよい。以下では、図６を参照して、模倣品であると判定したタイヤ１と同一または類似のトレッドパターンを有するタイヤに関する情報をユーザに提示する場合の動作について説明する。なお、図６において、図３と同様の処理については同じ符号を付し、説明を省略する。
【００５４】
制御部１４７は、取得したタイヤＩＤ情報で識別されるタイヤ１が模倣品であると判定すると（ステップＳ１５）、例えば、タイヤＩＤ情報を取得したタイヤ１のトレッドパターンをカメラ部１４３で撮影するようにユーザに促すメッセージなどを表示部１４６に表示させる。そして、そのメッセージに応じて、タイヤＩＤ情報を取得したタイヤ１のトレッドパターンが撮影されると、制御部１４７は、カメラ部１４３の撮影画像を取得する（ステップＳ４１）。
【００５５】
次に、制御部１４７は、取得した撮影画像に示されるトレッドパターンと同一または類似のトレッドパターンを有する正規品のタイヤを特定し（ステップＳ４２）、特定したタイヤに関する情報（操縦性、放熱性、排水性などの性能情報、品番情報、価格情報など）を取得する。なお、正規品のタイヤのトレッドパターンおよびそのタイヤに関する情報は、例えば、そのタイヤを製造した正規メーカにより、データベース１２あるいはネットワーク２０に接続された他のデータベースに登録される。
【００５６】
次に、制御部１４７は、取得したタイヤＩＤ情報で識別されるタイヤ１が模倣品であることを示す情報、および、そのタイヤ１と同一または類似のトレッドパターンを有するとして特定したタイヤに関する情報を表示部１４６に表示させる（ステップＳ４３）。
【００５７】
このように、取得したタイヤＩＤ情報で識別されるタイヤ１が模倣品であると判定した場合に、そのタイヤ１と同一または類似のトレッドパターンを有する正規品のタイヤに関する情報を提示することで、模倣品であると判定されたタイヤ１と同程度の性能などを有する正規品のタイヤをユーザが容易に把握することができる。
【００５８】
また、制御部１４７は、模倣品であると判定したタイヤ１と同一または類似のトレッドパターンを有するとして特定した正規品のタイヤの、情報提示装置１４の付近の販売店における在庫状況を示す情報をさらに、表示部１４６に表示させてもよい。こうすることで、ユーザは、模倣品であると判定されたタイヤ１と同一または類似のトレッドパターンを有する正規品のタイヤの在庫状況を確認した上で、販売店を訪れることができる。
【００５９】
また、制御部１４７は、取得したタイヤＩＤ情報で識別されるタイヤ１が模倣品であると判定した場合、情報提示装置１４の位置情報を所定の連絡先に通知するようにしてもよい。以下では、図７を参照して、タイヤＩＤ情報を取得したタイヤ１が模倣品であると判定した場合に、情報提示装置１４の位置情報を所定の連絡先に通知する場合の動作について説明する。なお、図７において、図３と同様の処理については同じ符号を付し、説明を省略する。
【００６０】
制御部１４７は、取得したタイヤＩＤ情報で識別されるタイヤ１が模倣品であると判定すると（ステップＳ１５）、位置情報取得部１４４に位置情報の取得を指示する。そして、制御部１４７は、その指示に従い位置情報取得部１４４が取得した位置情報を取得する（ステップＳ５１）。
【００６１】
次に、制御部１４７は、取得した位置情報を所定の連絡先、例えば、正規品のタイヤを製造する正規メーカに通知する（ステップＳ５２）。
【００６２】
上述したように、タイヤ１に取り付けられた発信器１１と情報提示装置１４のリーダ部１４１とは、通信距離が数ｃｍ〜数ｍ程度の近距離無線通信を行う。つまり、タイヤ１に取り付けられた発信器１１からリーダ部１４１を介してタイヤＩＤ情報を取得した場合、タイヤ１と情報提示装置１４との距離は、数ｃｍ〜数ｍ程度の近距離である。したがって、タイヤＩＤ情報を取得したタイヤ１の位置と、情報提示装置１４の位置とは、概ね同じであると推定することができる。そのため、タイヤＩＤ情報を取得したタイヤ１が模倣品であると判定した場合に、情報提示装置１４の位置を所定の連絡先（例えば、正規メーカ）に通知することで、所定の連絡先に模倣品であるタイヤ１の位置を通知することができる。
【００６３】
また、制御部１４７は、取得したタイヤＩＤ情報で識別されるタイヤ１が模倣品であると判定した場合、そのタイヤ１を販売する販売店に関する情報を所定の連絡先に通知するようにしてもよい。以下では、図８を参照して、タイヤＩＤ情報を取得したタイヤ１が模倣品であると判定した場合に、そのタイヤ１を販売する販売店に関する情報を所定の連絡先に通知する場合の動作について説明する。なお、図８において、図３，７と同様の処理については同じ符号を付し、説明を省略する。
【００６４】
制御部１４７は、取得したタイヤＩＤ情報で識別されるタイヤ１が模倣品であると判定し（ステップＳ１５）、情報提示装置１４の位置情報を取得すると（ステップＳ５１）、取得した位置情報に基づき、そのタイヤ１を販売する販売店を特定する（ステップＳ６１）。上述したように、タイヤＩＤ情報を取得したタイヤ１の位置と、情報提示装置１４の位置とは、概ね同じである。また通常、販売店内のタイヤ１のタイヤＩＤ情報を情報提示装置１４が取得した場合、情報提示装置１４の位置は、販売店の敷地内に含まれる。したがって、タイヤＩＤ情報を取得したタイヤ１が模倣品であると判定された場合に、情報提示装置１４の位置情報は、その模倣品のタイヤ１を販売する販売店の位置を示すと推定することができる。制御部１４７は、取得した情報提示装置１４の位置情報と、タイヤの販売店それぞれの位置情報とを照合することで、模倣品であると判定したタイヤ１を販売する販売店を特定することができる。なお、販売店の位置情報は、例えば、データベース１２，１３あるいはネットワーク２０に接続された他のデータベースに予め記憶されている。
【００６５】
制御部１４７は、特定した販売店に関する情報（位置情報、店舗名情報など）を、所定の連絡先、例えば、正規品のタイヤを製造する正規メーカに通知する（ステップＳ６２）。
【００６６】
このように、タイヤＩＤ情報を取得したタイヤ１が模倣品であると判定した場合に、そのタイヤ１を販売する販売店に関する情報を所定の連絡先（例えば、正規メーカ）に通知することで、模倣品を販売する販売店に関する情報を所定の連絡先に通知することができる。
【００６７】
なお、制御部１４７は、図４〜８を参照して説明した各動作を適宜組み合わせて行ってもよい。
【００６８】
このように本実施形態に係る情報提示システム１０は、ユーザに所持され、そのユーザに情報を提示する情報提示装置１４と、ユーザに供されるタイヤ１に取り付けられ、そのタイヤを識別するタイヤＩＤ情報を発信する発信器１１と、正規品のタイヤのタイヤＩＤ情報を記憶するデータベース１２（第１のデータベース）とを備える。情報提示装置１４は、ユーザに情報を提示する表示部１４６（情報提示部）と、タイヤ１に取り付けられた発信器１１と近距離無線通信を行い、発信器１１が発信するタイヤＩＤ情報を取得するリーダ部１４１と、データベース１２にリーダ部１４１が取得したタイヤＩＤ情報が記憶されているか否かを判定し、データベース１２にタイヤＩＤ情報が記憶されている場合には、タイヤＩＤ情報で識別されるタイヤ１が正規品であることを示す情報を、データベース１２にタイヤＩＤ情報が記憶されていない場合には、タイヤＩＤ情報で識別されるタイヤ１が模倣品であることを示す情報を、表示部１４６に提示させる制御部１４７とを備える。
【００６９】
また、本実施形態に係る情報提示装置１４は、ユーザに情報を提示する表示部１４６（情報提示部）と、ユーザに供されるタイヤ１に取り付けられ、そのタイヤ１を識別するタイヤＩＤ情報を発信する発信器１１と近距離無線通信を行い、発信器１１が発信するタイヤＩＤ情報を取得するリーダ部１４１と、正規品のタイヤのタイヤＩＤ情報を記憶するデータベース１２（第１のデータベース）に、リーダ部１４１が取得したタイヤＩＤ情報が記憶されているか否かを判定し、タイヤＩＤ情報がデータベース１２に記憶されている場合には、タイヤＩＤ情報で識別されるタイヤ１が正規品であることを示す情報を、タイヤＩＤ情報がデータベース１２に記憶されていない場合には、タイヤＩＤ情報で識別されるタイヤ１が模倣品であることを示す情報を、表示部１４６に提示させる制御部１４７とを備える。
また、本実施形態に係る情報提示方法は、ユーザに供されるタイヤ１に取り付けられ、そのタイヤ１を識別するタイヤＩＤ情報を発信する発信器１１と近距離無線通信を行い、発信器１１が発信するタイヤＩＤ情報を取得するステップと、正規品のタイヤのタイヤＩＤ情報を記憶するデータベース１２（第１のデータベース）に、取得したタイヤＩＤ情報が記憶されているか否かを判定し、タイヤＩＤ情報がデータベース１２に記憶されている場合には、タイヤＩＤ情報で識別されるタイヤ１が正規品であることを示す情報を、タイヤＩＤ情報がデータベース１２に記憶されていない場合には、タイヤＩＤ情報で識別されるタイヤ１が模倣品であることを示す情報をユーザに提示するステップと、を含む。
【００７０】
正規品のタイヤのタイヤＩＤ情報を記憶するデータベース１２に、タイヤ１のタイヤＩＤ情報が記憶されている場合、そのタイヤ１は正規品であり、タイヤ１のタイヤＩＤ情報が記憶されていない場合、そのタイヤ１は模倣品であると判定することができる。したがって、タイヤ１に取り付けられた発信器１１が発信するタイヤＩＤ情報を取得し、そのタイヤＩＤ情報がデータベース１２に記憶されているか否かを判定することで、そのタイヤ１が正規品であるか、模倣品であるかを示す情報をユーザに提示することができる。
【００７１】
本発明に係る情報提示システム、情報提示装置および情報提示方法は、上述した実施形態に示す具体的な構成に限られず、特許請求の範囲を逸脱しない限り、種々の変形・変更が可能である。
【符号の説明】
【００７２】
１    タイヤ
１０    情報提示システム
１１    発信器
１２    データベース（第１のデータベース）
１３    データベース（第２のデータベース）
１４    情報提示装置
２０    ネットワーク
１４１    リーダ部
１４２    記憶部
１４３    カメラ部
１４４    位置情報取得部
１４５    通信部
１４６    表示部（情報提示部）
１４７    制御部
【図１】
2019101937.tif 000003
【図２】
2019101937.tif 000004
【図３】
2019101937.tif 000005
【図４】
2019101937.tif 000006
【図５】
2019101937.tif 000007
【図６】
2019101937.tif 000008
【図７】
2019101937.tif 000009
【図８】
2019101937.tif 000010